(57)【特許請求の範囲】
【請求項１】
物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、下記条件式を満足することを特徴とする撮像レンズ。
ｆ１／ｆ＜−１．６８  …  （１−２）
−０．７＜ｆ４／ｆ  …  （２）
−０．６＜（Ｒ３＋Ｒ４）／（Ｒ３−Ｒ４）＜２．２  …  （１１−２）
０．５＜ｆ２／ｆ３＜４．０  …  （１２）
ただし、
ｆ１：前記第１レンズの焦点距離
ｆ２：前記第２レンズの焦点距離
ｆ３：前記第３レンズの焦点距離
ｆ４：前記第４レンズの焦点距離
ｆ：全系の焦点距離
Ｒ３：前記第２レンズの物体側の面の曲率半径
Ｒ４：前記第２レンズの像側の面の曲率半径
【請求項２】
物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、下記条件式を満足することを特徴とする撮像レンズ。
２．４＜ｆ１／ｆ４  …  （３）
０．０＜ｆ３／ｆ＜２．０  …  （４）
３．２＜νｄ６／νｄ４  …  （６）
ただし、
ｆ：全系の焦点距離
ｆ１：前記第１レンズの焦点距離
ｆ３：前記第３レンズの焦点距離
ｆ４：前記第４レンズの焦点距離
νｄ４：前記第４レンズの材質のｄ線に対するアッベ数
νｄ６：前記第６レンズの材質のｄ線に対するアッベ数
【請求項３】
物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、下記条件式を満足することを特徴とする撮像レンズ。
３．０＜νｄ２／νｄ４  …  （５）
ただし、
νｄ２：前記第２レンズの材質のｄ線に対するアッベ数
νｄ４：前記第４レンズの材質のｄ線に対するアッベ数
【請求項４】
物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、前記第２レンズの材質のｄ線に対するアッベ数が５５以上であり、下記条件式を満足することを特徴とする撮像レンズ。
３．２＜νｄ６／νｄ４  …  （６）
ただし、
νｄ４：前記第４レンズの材質のｄ線に対するアッベ数
νｄ６：前記第６レンズの材質のｄ線に対するアッベ数
【請求項５】
前記第１レンズの材質のｄ線に対するアッベ数が４０以上であり、前記第２レンズの材質のｄ線に対するアッベ数が５５以上であり、前記第３レンズの材質のｄ線に対するアッベ数が３０以上であり、前記第４レンズの材質のｄ線に対するアッベ数が２５以下であり、前記第５レンズの材質のｄ線に対するアッベ数が３０以上であり、前記第６レンズの材質のｄ線に対するアッベ数が３０以上である請求項１から４のいずれか１項記載の撮像レンズ。
【請求項６】
下記条件式を満足する請求項１から５のいずれか１項記載の撮像レンズ。
１．８＜（Ｒ１＋Ｒ２）／（Ｒ１−Ｒ２）  …  （７）
ただし、
Ｒ１：前記第１レンズの物体側の面の曲率半径
Ｒ２：前記第１レンズの像側の面の曲率半径
【請求項７】
下記条件式を満足する請求項１から６のいずれか１項記載の撮像レンズ。
（Ｒ５＋Ｒ６）／（Ｒ５−Ｒ６）＜０．０  …  （８）
ただし、
Ｒ５：前記第３レンズの物体側の面の曲率半径
Ｒ６：前記第３レンズの像側の面の曲率半径
【請求項８】
下記条件式を満足する請求項１から７のいずれか１項記載の撮像レンズ。
３．０＜（Ｒ１０＋Ｒ１１）／（Ｒ１０−Ｒ１１）＜１３．５  …  （９）
ただし、
Ｒ１０：前記第５レンズの物体側の面の曲率半径
Ｒ１１：前記第５レンズの像側の面の曲率半径
【請求項９】
下記条件式を満足する請求項１から８のいずれか１項記載の撮像レンズ
１＜ｆ１２／ｆ＜２５  …  （１０）
ただし、
ｆ１２：前記第１レンズおよび前記第２レンズの合成焦点距離
ｆ：全系の焦点距離
【請求項１０】
下記条件式を満足する請求項２から９のいずれか１項記載の撮像レンズ
−０．８＜（Ｒ３＋Ｒ４）／（Ｒ３−Ｒ４）＜３．５  …  （１１）
ただし、
Ｒ３：前記第２レンズの物体側の面の曲率半径
Ｒ４：前記第２レンズの像側の面の曲率半径
【請求項１１】
下記条件式を満足する請求項２から１０のいずれか１項記載の撮像レンズ
０．５＜ｆ２／ｆ３＜４．０  …  （１２）
ただし、
ｆ２：前記第２レンズの焦点距離
ｆ３：前記第３レンズの焦点距離
【請求項１２】
下記条件式を満足する請求項１から１１のいずれか１項記載の撮像レンズ
０．２＜ｆ５／ｆ６＜４．０  …  （１３）
ただし、
ｆ５：前記第５レンズの焦点距離
ｆ６：前記第６レンズの焦点距離
【請求項１３】
下記条件式を満足する請求項１から１２のいずれか１項記載の撮像レンズ
０．４＜ｆ６／ｆ＜４．０  …  （１４）
ただし、
ｆ：全系の焦点距離
ｆ６：前記第６レンズの焦点距離
【請求項１４】
下記条件式を満足する請求項１から１３のいずれか１項記載の撮像レンズ
０．３＜ｆ２３／ｆ５６＜３．０  …  （１５）
ただし、
ｆ２３：前記第２レンズおよび前記第３レンズの合成焦点距離
ｆ５６：前記第５レンズおよび前記第６レンズの合成焦点距離
【請求項１５】
開口絞りが前記第４レンズの像側の面と前記第２レンズの物体側の面との間に配置されている請求項１から１４のいずれか１項記載の撮像レンズ。
【請求項１６】
さらに下記条件式を満足する請求項１記載の撮像レンズ。
−０．６２＜ｆ４／ｆ  …  （２−２）
ただし、
ｆ４：前記第４レンズの焦点距離
ｆ：全系の焦点距離
【請求項１７】
さらに下記条件式を満足する請求項１記載の撮像レンズ。
−０．７０＜ｆ４／ｆ＜−０．３  …  （２−３）
ただし、
ｆ４：前記第４レンズの焦点距離
ｆ：全系の焦点距離
【請求項１８】
さらに下記条件式を満足する請求項２記載の撮像レンズ。
３．０＜ｆ１／ｆ４  …  （３−２）
ただし、
ｆ１：前記第１レンズの焦点距離
ｆ４：前記第４レンズの焦点距離
【請求項１９】
さらに下記条件式を満足する請求項２記載の撮像レンズ。
２．８＜ｆ１／ｆ４＜１５．０  …  （３−６）
ただし、
ｆ１：前記第１レンズの焦点距離
ｆ４：前記第４レンズの焦点距離
【請求項２０】
さらに下記条件式を満足する請求項２記載の撮像レンズ。
０．７＜ｆ３／ｆ＜２．０  …  （４−２）
ただし、
ｆ３：前記第３レンズの焦点距離
ｆ：全系の焦点距離
【請求項２１】
さらに下記条件式を満足する請求項３記載の撮像レンズ。
３．０＜νｄ２／νｄ４＜４．５  …  （５−２）
ただし、
νｄ２：前記第２レンズの材質のｄ線に対するアッベ数
νｄ４：前記第４レンズの材質のｄ線に対するアッベ数
【請求項２２】
さらに下記条件式を満足する請求項４記載の撮像レンズ。
３．２＜νｄ６／νｄ４＜４．５  …  （６−３）
ただし、
νｄ６：前記第６レンズの材質のｄ線に対するアッベ数
νｄ４：前記第４レンズの材質のｄ線に対するアッベ数
【請求項２３】
さらに下記条件式を満足する請求項６記載の撮像レンズ。
２．０＜（Ｒ１＋Ｒ２）／（Ｒ１−Ｒ２）＜６．０  …  （７−４）
ただし、
Ｒ１：前記第１レンズの物体側の面の曲率半径
Ｒ２：前記第１レンズの像側の面の曲率半径
【請求項２４】
さらに下記条件式を満足する請求項１０記載の撮像レンズ
−０．６＜（Ｒ３＋Ｒ４）／（Ｒ３−Ｒ４）＜２．２  …  （１１−２）
ただし、
Ｒ３：前記第２レンズの物体側の面の曲率半径
Ｒ４：前記第２レンズの像側の面の曲率半径
【請求項２５】
請求項１から２４のいずれか１項記載の撮像レンズを搭載した撮像装置。
【発明の詳細な説明】
【技術分野】
【０００１】
本発明は、撮像レンズおよび撮像装置に関し、より詳しくは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を用いた車載用カメラ、携帯端末用カメラ、監視カメラ等に使用されるのに好適な撮像レンズ、およびこの撮像レンズを備えた撮像装置に関するものである。
【背景技術】
【０００２】
ＣＣＤやＣＭＯＳ等の撮像素子は近年非常に小型化および高画素化が進んでいる。それとともに、これら撮像素子を備えた撮像機器本体も小型化が進み、それに搭載される撮像レンズにも良好な光学性能に加え、小型化が求められている。一方、車載用カメラや監視カメラ等の用途では、小型化とともに、安価に構成可能で、広角で高性能であることが求められている。【０００３】
下記特許文献１〜４には、車載用カメラに搭載される撮像レンズとして、物体側から順に、負、正、正、負、正、正のレンズ配置からなる６枚構成の撮像レンズが提案されている。
【先行技術文献】
【特許文献】
【０００４】
【特許文献１】特開２００８−２８７０４５号公報
【特許文献２】特開２０１０−０９０６９６号公報
【特許文献３】特開２０１０−０９０６９７号公報
【特許文献４】特開平９−２３０２３２号公報
【発明の概要】
【発明が解決しようとする課題】
【０００５】
ところで、車載用カメラや監視カメラ等に搭載される撮像レンズに対する要求は年々厳しくなっており、Ｆ値を小さくし、かつさらなる低コスト化、広角化および高性能化を図ることが望まれている。【０００６】
本発明は上記事情に鑑み、Ｆ値が小さく、低コスト化、広角化および高性能化が実現可能な撮像レンズ、およびこの撮像レンズを備えた撮像装置を提供することを目的とするものである。
【課題を解決するための手段】
【０００７】
本発明の第１の撮像レンズは、物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、下記条件式を満足することを特徴とするものである。【０００８】
ｆ１／ｆ＜−１．６  …  （１）
−０．７＜ｆ４／ｆ  …  （２）
ただし、
ｆ１：第１レンズの焦点距離
ｆ４：第４レンズの焦点距離
ｆ：全系の焦点距離
本発明の第２の撮像レンズは、物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、下記条件式を満足することを特徴とするものである。【０００９】
２．４＜ｆ１／ｆ４  …  （３）
０．０＜ｆ３／ｆ＜２．０  …  （４）
ただし、
ｆ：全系の焦点距離
ｆ１：第１レンズの焦点距離
ｆ３：第３レンズの焦点距離
ｆ４：第４レンズの焦点距離
本発明の第３の撮像レンズは、物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、下記条件式を満足することを特徴とするものである。【００１０】
３．０＜νｄ２／νｄ４  …  （５）
ただし、
νｄ２：第２レンズの材質のｄ線に対するアッベ数
νｄ４：第４レンズの材質のｄ線に対するアッベ数
本発明の第４の撮像レンズは、物体側から順に、負のパワーを持つ第１レンズ、正のパワーを持つ第２レンズ、正のパワーを持つ第３レンズ、負のパワーを持つ第４レンズ、正のパワーを持つ第５レンズおよび正のパワーを持つ第６レンズからなり、下記条件式を満足することを特徴とするものである。【００１１】
３．２＜νｄ６／νｄ４  …  （６）
ただし、
νｄ４：第４レンズの材質のｄ線に対するアッベ数
νｄ６：第６レンズの材質のｄ線に対するアッベ数
なお、本発明の第１の撮像レンズは第２、第３および第４の撮像レンズの少なくとも１つの構成を有するものであってもよく、本発明の第２の撮像レンズは第１、第３および第４の撮像レンズの少なくとも１つの構成を有するものであってもよく、本発明の第３の撮像レンズは第１、第２および第４の撮像レンズの少なくとも１つの構成を有するものであってもよく、本発明の第４の撮像レンズは第１、第２および第３の撮像レンズの少なくとも１つの構成を有するものであってもよい。本発明の第１、第２、第３および第４の撮像レンズは他の撮像レンズ構成のうちの一部の構成を有するものであってもよい。【００１２】
本発明の撮像レンズは、６枚のレンズからなるものであるが、６枚のレンズ以外に、実質的にパワーを持たないレンズ、開口絞り、カバーガラス等のレンズ以外の光学要素、レンズフランジ、レンズバレル、撮像素子、手ぶれ補正機構等の機構部分等を持つものも含むものであってもよい。【００１３】
また、本発明においては、凸面、凹面、平面、両凹、メニスカス、両凸、平凸および平凹等といったレンズの面形状、正および負といったレンズの屈折力の符号は、非球面が含まれているものについてはとくに断りのない限り近軸領域で考えるものとする。また、本発明においては、曲率半径の符号は、面形状が物体側に凸面を向けた場合を正、像側に凸面を向けた場合を負とすることにする。「レンズ面の中心が正のパワーを持つ」とは、レンズ面の近軸曲率が、レンズ面が凸面を形成するような値となっていることを意味し、「レンズ面の中心が負のパワーを持つ」とは、レンズ面の近軸曲率が、レンズ面が凹面を形成するような値となっていることを意味する。【００１４】
なお、本発明の第１から第４の撮像レンズにおいては、第１レンズの材質のｄ線に対するアッベ数が４０以上であり、第２レンズの材質のｄ線に対するアッベ数が５５以上であり、第３レンズの材質のｄ線に対するアッベ数が３０以上であり、第４レンズの材質のｄ線に対するアッベ数が２５以下であり、第５レンズの材質のｄ線に対するアッベ数が３０以上であり、第６レンズの材質のｄ線に対するアッベ数が３０以上であってもよい。【００１５】
また、本発明の第１から第４の撮像レンズにおいては、開口絞りが第４レンズの像側の面と第２レンズの物体側の面との間に配置されていてもよい。【００１６】
上記本発明の第１から第４の撮像レンズにおいては、下記条件式（７）〜（１６）を満足することが好ましい。なお、好ましい態様としては、下記条件式（７）〜（１６）のいずれか１つの構成を有するものでもよく、あるいは任意の２つ以上を組み合わせた構成を有するものでもよい。【００１７】
１．８＜（Ｒ１＋Ｒ２）／（Ｒ１−Ｒ２）  …  （７）
（Ｒ５＋Ｒ６）／（Ｒ５−Ｒ６）＜０．０  …  （８）
３．０＜（Ｒ１０＋Ｒ１１）／（Ｒ１０−Ｒ１１）＜１３．５  …  （９）
１＜ｆ１２／ｆ＜２５  …  （１０）
−０．８＜（Ｒ３＋Ｒ４）／（Ｒ３−Ｒ４）＜３．５  …  （１１）
０．５＜ｆ２／ｆ３＜４．０  …  （１２）
０．２＜ｆ５／ｆ６＜４．０  …  （１３）
０．４＜ｆ６／ｆ＜４．０  …  （１４）
０．３＜ｆ２３／ｆ５６＜３．０  …  （１５）
１．０＜Ｌ／ｆ＜５．０  …  （１６）
ただし、
Ｒ１：第１レンズの物体側の面の曲率半径
Ｒ２：第１レンズの像側の面の曲率半径
Ｒ３：第２レンズの物体側の面の曲率半径
Ｒ４：第２レンズの像側の面の曲率半径
Ｒ５：第３レンズの物体側の面の曲率半径
Ｒ６：第３レンズの像側の面の曲率半径
Ｒ１０：第５レンズの物体側の面の曲率半径
Ｒ１１：第５レンズの像側の面の曲率半径
ｆ：全系の焦点距離
ｆ２：第２レンズの焦点距離
ｆ３：第３レンズの焦点距離
ｆ５：第５レンズの焦点距離
ｆ６：第６レンズの焦点距離
ｆ１２：第１レンズおよび第２レンズの合成焦点距離
ｆ２３：第２レンズおよび第３レンズの合成焦点距離
ｆ５６：第５レンズおよび第６レンズの合成焦点距離
Ｌ：第１レンズの物体側の面から像面までの距離（バックフォーカス分は空気換算長）
本発明の撮像装置は、上記記載の本発明の第１から第４の撮像レンズの少なくともいずれか１つを搭載したことを特徴とするものである。
【発明の効果】
【００１８】
本発明の第１の撮像レンズによれば、最小６枚のレンズ系において、全系におけるパワー配置等を好適に設定し、条件式（１）、（２）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００１９】
本発明の第２の撮像レンズによれば、最小６枚のレンズ系において、全系におけるパワー配置等を好適に設定し、条件式（３）、（４）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００２０】
本発明の第３の撮像レンズによれば、最小６枚のレンズ系において、全系におけるパワー配置等を好適に設定し、条件式（５）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００２１】
本発明の第４の撮像レンズによれば、最小６枚のレンズ系において、全系におけるパワー配置等を好適に設定し、条件式（６）を満足するようにしているため、小型化、低コスト化および広角化を達成でき、かつバックフォーカスを確保することができ、さらには諸収差を良好に補正して、結像領域周辺部まで良好な像を得ることができる高い光学性能を有する撮像レンズを実現することができる。【００２２】
本発明の撮像装置によれば、本発明の撮像レンズを備えているため、小型で安価に構成でき、広い画角での撮影が可能であり、解像度の高い良好な像を得ることができる。
【図面の簡単な説明】
【００２３】
【図１】本発明の一実施形態に係る撮像レンズの構成と光路を示す図
【図２】本発明の実施例１の撮像レンズのレンズ構成を示す断面図
【図３】本発明の実施例２の撮像レンズのレンズ構成を示す断面図
【図４】本発明の実施例３の撮像レンズのレンズ構成を示す断面図
【図５】本発明の実施例４の撮像レンズのレンズ構成を示す断面図
【図６】本発明の実施例５の撮像レンズのレンズ構成を示す断面図
【図７】本発明の実施例６の撮像レンズのレンズ構成を示す断面図
【図８】本発明の実施例７の撮像レンズのレンズ構成を示す断面図
【図９】本発明の実施例８の撮像レンズのレンズ構成を示す断面図
【図１０】本発明の実施例９の撮像レンズのレンズ構成を示す断面図
【図１１】本発明の実施例１０の撮像レンズのレンズ構成を示す断面図
【図１２】本発明の実施例１１の撮像レンズのレンズ構成を示す断面図
【図１３】本発明の実施例１２の撮像レンズのレンズ構成を示す断面図
【図１４】本発明の実施例１３の撮像レンズのレンズ構成を示す断面図
【図１５】（Ａ）〜（Ｄ）は本発明の実施例１の撮像レンズの各収差図
【図１６】（Ａ）〜（Ｄ）は本発明の実施例２の撮像レンズの各収差図
【図１７】（Ａ）〜（Ｄ）は本発明の実施例３の撮像レンズの各収差図
【図１８】（Ａ）〜（Ｄ）は本発明の実施例４の撮像レンズの各収差図
【図１９】（Ａ）〜（Ｄ）は本発明の実施例５の撮像レンズの各収差図
【図２０】（Ａ）〜（Ｄ）は本発明の実施例６の撮像レンズの各収差図
【図２１】（Ａ）〜（Ｄ）は本発明の実施例７の撮像レンズの各収差図
【図２２】（Ａ）〜（Ｄ）は本発明の実施例８の撮像レンズの各収差図
【図２３】（Ａ）〜（Ｄ）は本発明の実施例９の撮像レンズの各収差図
【図２４】（Ａ）〜（Ｄ）は本発明の実施例１０の撮像レンズの各収差図
【図２５】（Ａ）〜（Ｄ）は本発明の実施例１１の撮像レンズの各収差図
【図２６】（Ａ）〜（Ｄ）は本発明の実施例１２の撮像レンズの各収差図
【図２７】（Ａ）〜（Ｄ）は本発明の実施例１３の撮像レンズの各収差図
【図２８】本発明の実施形態に係る車載用の撮像装置の配置を説明するための図
【発明を実施するための形態】
【００２４】
以下、本発明の実施形態について図面を参照して詳細に説明する。
【００２５】
〔撮像レンズの実施形態〕
まず、図１を参照しながら、本発明の実施形態に係る撮像レンズについて説明する。図１は、本発明の実施形態に係る撮像レンズ１の構成と光路を示す図である。なお、図１に示す撮像レンズ１は後述する本発明の実施例１に係る撮像レンズに対応するものである。
【００２６】
図１では、図の左側が物体側、右側が像側であり、無限遠の距離にある物点からの軸上光束２、全画角２ωでの軸外光束３、４も併せて示してある。図１では、撮像レンズ１が撮像装置に適用される場合を考慮して、撮像レンズ１の像点Ｐｉｍを含む像面Ｓｉｍに配置された撮像素子５も図示している。撮像素子５は、撮像レンズ１により形成される光学像を電気信号に変換するものであり、例えばＣＣＤイメージセンサやＣＭＯＳイメージセンサ等を用いることができる。
【００２７】
なお、撮像レンズ１を撮像装置に適用する際には、レンズを装着するカメラ側の構成に応じて、カバーガラスや、ローパスフィルタまたは赤外線カットフィルタ等を設けることが好ましく、図１では、これらを想定した平行平板状の光学部材ＰＰを最も像側のレンズと撮像素子５（像面Ｓｉｍ）との間に配置した例を示している。
【００２８】
まず、本発明の第１の実施形態の構成について説明する。本発明の第１の実施形態に係る撮像レンズは、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５および正のパワーを持つ第６レンズＬ６を備える。図１に示す例では、第３レンズＬ３と第４レンズＬ４との間に開口絞りＳｔが配置されている。なお、図１における開口絞りＳｔは、形状や大きさを表すものではなく、光軸Ｚ上の位置を示すものである。
【００２９】
また、第１の実施形態の撮像レンズは、下記条件式（１）、（２）を満足するように構成されている。
【００３０】
ｆ１／ｆ＜−１．６  …  （１）
−０．７＜ｆ４／ｆ  …  （２）
ただし、
ｆ１：第１レンズＬ１の焦点距離
ｆ４：第４レンズＬ４の焦点距離
ｆ：全系の焦点距離
第１の実施形態の撮像レンズは、最小６枚という少ないレンズ枚数で構成することで、低コスト化とともに光軸方向の全長の小型化を図ることができる。また、最も物体側のレンズである第１レンズＬ１を負のパワーを持つレンズとすることで、レンズ系を広角化でき、かつバックフォーカスの確保が容易となり、レンズ系の径方向の小型化も容易となる。また、第２レンズＬ２および第３レンズＬ３を正のパワー、第５レンズＬ５および第６レンズＬ６を正のパワーを持つレンズとすることで、正のパワーを分割し、球面収差の発生を最小限に抑えることが可能となり、例えばＦ値が２．０以下となるような明るい光学系であっても、良好な光学性能を達成することができる。
【００３１】
条件式（１）の上限を満足することで、ディストーションの補正が容易となる。
【００３２】
条件式（２）の下限を満足することで、第４レンズＬ４のパワーを強くすることが容易となり、軸上の色収差の補正が容易となる。
【００３３】
次に、本発明の第２の実施形態の構成について説明する。本発明の第２の実施形態に係る撮像レンズは、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５および正のパワーを持つ第６レンズＬ６を備える。
【００３４】
また、第２の実施形態の撮像レンズは、下記条件式（３）、（４）を満足するように構成されている。
【００３５】
２．４＜ｆ１／ｆ４    …  （３）
０．０＜ｆ３／ｆ＜２．０      …（４）
ただし、
ｆ：全系の焦点距離
ｆ１：第１レンズＬ１の焦点距離
ｆ３：第３レンズＬ３の焦点距離
ｆ４：第４レンズＬ４の焦点距離
第２の実施形態の撮像レンズは、最小６枚という少ないレンズ枚数で構成することで、低コスト化とともに光軸方向の全長の小型化を図ることができる。また、最も物体側のレンズである第１レンズＬ１を負のパワーを持つレンズとすることで、レンズ系を広角化でき、かつバックフォーカスの確保が容易となり、レンズ系の径方向の小型化も容易となる。また、第２レンズＬ２および第３レンズＬ３を正のパワー、第５レンズＬ５および第６レンズＬ６を正のパワーを持つレンズとすることで、正のパワーを分割し、球面収差の発生を最小限に抑えることが可能となり、例えばＦ値が２．０以下となるような明るい光学系であっても、良好な光学性能を達成することができる。
【００３６】
条件式（３）の下限を満足することで、第１レンズＬ１の負のパワーが強くなりすぎることを抑え、第４レンズＬ４の負のパワーを強くすることが容易となるため、軸上の色収差および倍率の色収差の補正が容易となる。
【００３７】
条件式（４）の上限を満足することで、第３レンズＬ３のパワーを強くすることが容易となり、球面収差および像面湾曲の補正が容易となる。なお、第２の実施形態のレンズ系は撮像レンズであるためｆは正の値となる。また、第３レンズＬ３も正のパワーを持つためｆ３も正の値となる。従って条件式（４）は０より大きい正の値となる。
【００３８】
次に、本発明の第３の実施形態の構成について説明する。本発明の第３の実施形態に係る撮像レンズは、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５および正のパワーを持つ第６レンズＬ６を備える。
【００３９】
また、第３の実施形態の撮像レンズは、下記条件式（５）を満足するように構成されている。
【００４０】
３．０＜νｄ２／νｄ４    …（５）
ただし、
νｄ２：第２レンズＬ２の材質のｄ線に対するアッベ数
νｄ４：第４レンズＬ４の材質のｄ線に対するアッベ数
第３の実施形態の撮像レンズは、最小６枚という少ないレンズ枚数で構成することで、低コスト化とともに光軸方向の全長の小型化を図ることができる。また、最も物体側のレンズである第１レンズＬ１を負のパワーを持つレンズとすることで、レンズ系を広角化でき、かつバックフォーカスの確保が容易となり、レンズ系の径方向の小型化も容易となる。また、第２レンズＬ２および第３レンズＬ３を正のパワー、第５レンズＬ５および第６レンズＬ６を正のパワーを持つレンズとすることで、正のパワーを分割し、球面収差の発生を最小限に抑えることが可能となり、例えばＦ値が２．０以下となるような明るい光学系であっても、良好な光学性能を達成することができる。
【００４１】
条件式（５）の下限を満足することで、第２レンズＬ２の材質のｄ線に対するアッベ数を大きくすることが容易となるか、第４レンズＬ４の材質のｄ線に対するアッベ数を小さくすることが容易となり、軸上の色収差の補正が容易となる。
【００４２】
次に、本発明の第４の実施形態の構成について説明する。本発明の第４の実施形態に係る撮像レンズは、物体側から順に、負のパワーを持つ第１レンズＬ１、正のパワーを持つ第２レンズＬ２、正のパワーを持つ第３レンズＬ３、負のパワーを持つ第４レンズＬ４、正のパワーを持つ第５レンズＬ５および正のパワーを持つ第６レンズＬ６を備える。
【００４３】
また、第４の実施形態の撮像レンズは、下記条件式（６）を満足するように構成されている。
【００４４】
３．２＜νｄ６／νｄ４    …（６）
ただし、
νｄ４：第４レンズＬ４の材質のｄ線に対するアッベ数
νｄ６：第６レンズＬ６の材質のｄ線に対するアッベ数
第４の実施形態の撮像レンズは、最小６枚という少ないレンズ枚数で構成することで、低コスト化とともに光軸方向の全長の小型化を図ることができる。また、最も物体側のレンズである第１レンズＬ１を負のパワーを持つレンズとすることで、レンズ系を広角化でき、かつバックフォーカスの確保が容易となり、レンズ系の径方向の小型化も容易となる。また、第２レンズＬ２および第３レンズＬ３を正のパワー、第５レンズＬ５および第６レンズＬ６を正のパワーを持つレンズとすることで、正のパワーを分割し、球面収差の発生を最小限に抑えることが可能となり、例えばＦ値が２．０以下となるような明るい光学系であっても、良好な光学性能を達成することができる。
【００４５】
条件式（６）の下限を満足することで、第６レンズＬ６の材質のｄ線に対するアッベ数を大きくすることが容易となるか、第４レンズＬ４の材質のｄ線に対するアッベ数を小さくすることが容易となり、軸上の色収差の補正が容易となる。
【００４６】
なお、第１の実施形態に係る撮像レンズは、第２の実施形態に係る撮像レンズ、第３の実施形態に係る撮像レンズおよび第４の実施形態に係る撮像レンズのうちの少なくとも１つの撮像レンズについて、そのすべてまたは一部の構成を有していてもよい。また、第２の実施形態に係る撮像レンズは、第１の実施形態に係る撮像レンズ、第３の実施形態に係る撮像レンズおよび第４の実施形態に係る撮像レンズのうちの少なくとも１つの撮像レンズについて、そのすべてまたは一部の構成を有していてもよい。また、第３の実施形態に係る撮像レンズは、第１の実施形態に係る撮像レンズ、第２の実施形態に係る撮像レンズおよび第４の実施形態に係る撮像レンズのうちの少なくとも１つの撮像レンズについて、そのすべてまたは一部の構成を有していてもよい。また、第４の実施形態に係る撮像レンズは、第１の実施形態に係る撮像レンズ、第２の実施形態に係る撮像レンズおよび第３の実施形態に係る撮像レンズのうちの少なくとも１つの撮像レンズについて、そのすべてまたは一部の構成を有していてもよい。
【００４７】
次に、本発明の上記第１から第４の実施形態に係る撮像レンズが有することが好ましい構成を挙げて、その作用効果について説明する。なお、好ましい態様としては、以下のいずれか１つの構成を有するものでもよく、あるいは任意の２つ以上を組み合わせた構成を有するものでもよい。
【００４８】
１．８＜（Ｒ１＋Ｒ２）／（Ｒ１−Ｒ２）  …  （７）
（Ｒ５＋Ｒ６）／（Ｒ５−Ｒ６）＜０．０  …  （８）
３．０＜（Ｒ１０＋Ｒ１１）／（Ｒ１０−Ｒ１１）＜１３．５  …  （９）
１＜ｆ１２／ｆ＜２５  …  （１０）
−０．８＜（Ｒ３＋Ｒ４）／（Ｒ３−Ｒ４）＜３．５  …  （１１）
０．５＜ｆ２／ｆ３＜４．０  …  （１２）
０．２＜ｆ５／ｆ６＜４．０  …  （１３）
０．４＜ｆ６／ｆ＜４．０  …  （１４）
０．３＜ｆ２３／ｆ５６＜３．０  …  （１５）
１．０＜Ｌ／ｆ＜５．０  …  （１６）
ただし、
Ｒ１：第１レンズＬ１の物体側の面の曲率半径
Ｒ２：第１レンズＬ１の像側の面の曲率半径
Ｒ３：第２レンズＬ２の物体側の面の曲率半径
Ｒ４：第２レンズＬ２の像側の面の曲率半径
Ｒ５：第３レンズＬ３の物体側の面の曲率半径
Ｒ６：第３レンズＬ３の像側の面の曲率半径
Ｒ１０：第５レンズＬ５の物体側の面の曲率半径
Ｒ１１：第５レンズＬ５の像側の面の曲率半径
ｆ：全系の焦点距離
ｆ２：第２レンズＬ２の焦点距離
ｆ３：第３レンズＬ３の焦点距離
ｆ５：第５レンズＬ５の焦点距離
ｆ６：第６レンズＬ６の焦点距離
ｆ１２：第１レンズＬ１および第２レンズＬ２の合成焦点距離
ｆ２３：第２レンズＬ２および第３レンズＬ３の合成焦点距離
ｆ５６：第５レンズＬ５および第６レンズＬ６の合成焦点距離
Ｌ：第１レンズＬ１の物体側の面から像面までの距離（バックフォーカス分は空気換算長）
条件式（７）の下限を満足することで、第１レンズＬ１は物体側の面より像側の面の曲率半径の絶対値が小さい凹メニスカスレンズとなるため、ディストーションの補正が容易となる。
【００４９】
条件式（８）の上限を満足することで、第３レンズＬ３を物体側の面の曲率半径の絶対値が像側の面の曲率半径より小さい凸レンズとすることができ、球面収差および像面湾曲の補正が容易となる。
【００５０】
条件式（９）の上限を満足することで、第５レンズＬ５のパワーを強くすることが容易となり、球面収差の補正が容易となる。条件式（９）の下限を満足することで、第５レンズＬ５を像側に凸面を向けた正のメニスカス形状を有するレンズとすることができ、球面収差および像面湾曲の補正が容易となる。
【００５１】
条件式（１０）の上限を満足することで、第１レンズＬ１のパワーを抑えることが容易となり、ディストーションの補正が容易となる。条件式（１０）の下限を満足することで、第１レンズＬ１のパワーを強くすることが容易となり、画角を広くするのが容易となるか、第２レンズＬ２のパワーを抑えることが容易となり、球面収差および像面湾曲の補正が容易となる。
【００５２】
条件式（１１）の上限を満足することで、第２レンズＬ２のパワーを強くすることが容易となり、球面収差および像面湾曲の補正が容易となる。条件式（１１）の下限を満足することで、第２レンズＬ２の物体側の面が物体側に凸面で、曲率半径の絶対値が小さくなるのを抑えることが容易となり、ディストーションの補正が容易となる。
【００５３】
条件式（１２）を満足することで、正のパワーを第２レンズＬ２および第３レンズＬ３に分散し、パワーのバランスをとることが容易となり、球面収差の補正が容易となる。
【００５４】
条件式（１３）を満足することで、正のパワーを第５レンズＬ５および第６レンズＬ６に分散し、パワーのバランスをとることが容易となり、球面収差の補正が容易となる。
【００５５】
条件式（１４）の上限を満足することで、第６レンズＬ６のパワーを強くすることが容易となり、第５レンズＬ５との間でパワーのバランスをとりながら、球面収差の補正が容易となる。もしくは、光線が撮像素子に入射する角度を抑えることが容易となり、シェーディングを抑えることが容易となる。条件式（１４）の下限を満足することで、第６レンズＬ６のパワーを抑えることが容易となり、バックフォーカスの確保が容易となる。
【００５６】
条件式（１５）を満足することで、レンズ群における正のパワーのバランスをとることが容易となり、球面収差および像面湾曲の補正が容易となる。
【００５７】
条件式（１６）の上限を満足することで、レンズ全長を短くすることが容易となり、レンズ系の小型化が容易となる。条件式（１６）の下限を満足することで、広角化が容易となるか、全長が短くなりすぎて各レンズが薄くなることを防止し、製造が容易となり、レンズの製造コストを低減させることが容易となる。
【００５８】
なお、上記の作用効果を高めるためには、上記の各条件式について、さらに以下のように上限を追加したり、下限を追加したり、下限または上限を変更したりしたものを満足することが好ましい。また、好ましい態様としては、以下に述べる下限の変更値と上限の変更値とを組み合わせて構成される条件式を満足するものでもよい。下記に例として好ましい条件式の変更例を述べるが、条件式の変更例は下記に式として記載されたものに限定されず、記載された変更値を組み合わせたものとしてもよい。
【００５９】
条件式（１）の上限は−１．６５とすることが好ましい。これにより、ディストーションの補正がより容易となる。条件式（１）の上限は−１．６８とすることがより好ましく、−１．６９とすることがさらに好ましい。条件式（１）に下限を設けることが好ましく、下限は−６．０とすることが好ましく、これにより、第１レンズＬ１の負のパワーを強くすることが容易となり、バックフォーカスを長くすることが容易となる。条件式（１）の下限は−５．０とすることがより好ましく、−４．０とすることがさらに好ましく、−３．６とすることがさらにより好ましい。上記より、例えば下記条件式（１−１）〜（１−６）を満足することがより好ましい。
【００６０】
ｆ１／ｆ＜−１．６５  …  （１−１）
ｆ１／ｆ＜−１．６８  …  （１−２）
−６．０＜ｆ１／ｆ＜−１．６５  …  （１−３）
−５．０＜ｆ１／ｆ＜−１．６  …  （１−４）
−４．０＜ｆ１／ｆ＜−１．６８  …  （１−５）
−４．０＜ｆ１／ｆ＜−１．６５  …  （１−６）
条件式（２）の下限は−０．６５とすることが好ましく、これにより、第４レンズＬ４のパワーを強くすることがより容易となり、軸上の色収差の補正がより容易となる。条件式（２）の下限は−０．６２以上とすることがより好ましい。条件式（２）に上限を設けることが好ましく、上限は−０．２とすることが好ましく、これにより、第４レンズＬ４のパワーが強くなりすぎるのを抑えることができ、偏心による誤差感度を抑えることが容易となるか、球面収差および像面湾曲の補正が容易となる。条件式（２）の上限は−０．３とすることがより好ましく、−０．４とすることがさらに好ましく、−０．４５とすることがさらにより好ましい。上記より、例えば下記条件式（２−１）〜（２−５）を満足することがより好ましい。
【００６１】
−０．６５＜ｆ４／ｆ  …  （２−１）
−０．６２＜ｆ４／ｆ  …  （２−２）
−０．７０＜ｆ４／ｆ＜−０．３  …  （２−３）
−０．６５＜ｆ４／ｆ＜−０．４  …  （２−４）
−０．６２≦ｆ４／ｆ＜−０．４５  …  （２−５）
条件式（３）の下限は２．８とすることが好ましく、これにより、第１レンズＬ１の負のパワーが強くなりすぎるのを抑え、第４レンズＬ４の負のパワーを強くすることがより容易となるため、軸上の色収差および倍率の色収差の補正がより容易となる。条件式（３）の下限は３．０とすることがより好ましく、３．２とすることがさらに好ましく、３．４とすることがさらにより好ましい。条件式（３）に上限を設けることが好ましく、上限は２０．０とすることが好ましく、これにより、第４レンズＬ４のパワーを抑えることが容易となり、第４レンズＬ４の誤差感度を抑えることでレンズの製造が容易となるか、コストアップを抑えることが容易となる。もしくは第１レンズＬ１のパワーを強くすることで、画角の確保が容易となる。条件式（３）の上限は１５．０とすることがより好ましく、１４．０とすることがさらに好ましく、１３．０とすることがさらにより好ましく、１２．５とすることが一層好ましい。上記より、例えば下記条件式（３−１）〜（３−７）を満足することがより好ましい。
【００６２】
２．８＜ｆ１／ｆ４  …  （３−１）
３．０＜ｆ１／ｆ４  …  （３−２）
３．２＜ｆ１／ｆ４  …  （３−３）
３．４＜ｆ１／ｆ４  …  （３−４）
２．４＜ｆ１／ｆ４＜１５．０  …  （３−５）
２．８＜ｆ１／ｆ４＜１５．０  …  （３−６）
２．４＜ｆ１／ｆ４＜１３．０  …  （３−７）
条件式（４）の上限は１．８とすることが好ましく、これにより、第３レンズＬ３のパワーを強くすることがより容易となり、球面収差および像面湾曲の補正がより容易となる。条件式（４）の上限は１．５とすることがより好ましく、１．４とすることがさらに好ましく、１．３とすることがさらにより好ましい。条件式（４）の下限を０．５とすることが好ましく、これにより、第３レンズＬ３のパワーを抑えることが容易となり、第３レンズＬ３の誤差感度を抑えることでレンズの製造が容易となるか、コストを抑えることが容易となる。条件式（４）の下限は０．７とすることがより好ましく、０．８とすることがさらに好ましく、０．９とすることがさらにより好ましい。上記より、例えば下記条件式（４−１）〜（４−６）を満足することがより好ましい。
【００６３】
０．０＜ｆ３／ｆ＜１．５  …  （４−１）
０．７＜ｆ３／ｆ＜２．０  …  （４−２）
０．０＜ｆ３／ｆ＜１．８  …  （４−３）
０．５＜ｆ３／ｆ＜１．５  …  （４−４）
０．７＜ｆ３／ｆ＜１．４  …  （４−５）
０．８＜ｆ３／ｆ＜１．３  …  （４−６）
条件式（５）の下限は３．１とすることが好ましく、これにより、第２レンズＬ２の材質のｄ線に対するアッベ数を大きくすることがより容易となるか、第４レンズＬ４の材質のｄ線に対するアッベ数を小さくすることがより容易となり、軸上の色収差の補正がより容易となる。条件式（５）に上限を設けることが好ましく、上限は５．０とすることが好ましく、これにより、第４レンズＬ４の材質のｄ線に対するアッベ数が小さくなりすぎるのを抑えることが容易となるか、第２レンズＬ２の材質のｄ線に対するアッベ数が大きくなりすぎるのを抑えることが容易となり、材質のコストアップを抑えることが容易となる。条件式（５）の上限は４．５とすることがより好ましく、４．０とすることがさらに好ましい。上記より、例えば下記条件式（５−１）〜（５−３）を満足することがより好ましい。
【００６４】
３．０＜νｄ２／νｄ４＜５．０  …  （５−１）
３．０＜νｄ２／νｄ４＜４．５  …  （５−２）
３．１＜νｄ２／νｄ４＜５．０  …  （５−３）
条件式（６）の下限は３．３とすることが好ましく、これにより、第６レンズＬ６の材質のｄ線に対するアッベ数を大きくすることがより容易となるか、第４レンズＬ４の材質のｄ線に対するアッベ数を小さくすることがより容易となり、軸上の色収差の補正がより容易となる。条件式（６）に上限を設けることが好ましく、上限は５．０とすることが好ましく、これにより、第４レンズＬ４の材質のｄ線に対するアッベ数が小さくなりすぎることを抑えることが容易となるか、第６レンズＬ６の材質のｄ線に対するアッベ数が大きくなりすぎるのを抑えることが容易となり、材質のコストアップを抑えることが容易となる。条件式（６）の上限は４．５とすることがより好ましく、４．０とすることがさらに好ましい。上記より、例えば下記条件式（６−１）〜（６−５）を満足することがより好ましい。
【００６５】
３．３＜νｄ６／νｄ４  …  （６−１）
３．２＜νｄ６／νｄ４＜５．０  …  （６−２）
３．２＜νｄ６／νｄ４＜４．５  …  （６−３）
３．３＜νｄ６／νｄ４＜５．０  …  （６−４）
３．２＜νｄ６／νｄ４  …  （６−５）
条件式（７）の下限は２．０とすることが好ましく、これにより、ディストーションの補正がより容易となる。条件式（７）の下限は２．２とすることがより好ましく、２．３とすることがさらに好ましい。条件式（７）に上限を設けることが好ましく、上限は８．０が好ましく、これにより、第１レンズＬ１のパワーを強くすることが容易となり、レンズ系の小型化とバックフォーカスの確保が容易となる。条件式（７）の上限は７．０とすることがより好ましく、６．０とすることがさらに好ましく、５．０とすることがさらにより好ましい。上記より、例えば下記条件式（７−１）〜（７−５）を満足することがより好ましい。
【００６６】
２．０＜（Ｒ１＋Ｒ２）／（Ｒ１−Ｒ２）  …  （７−１）
２．３＜（Ｒ１＋Ｒ２）／（Ｒ１−Ｒ２）  …  （７−２）
２．２＜（Ｒ１＋Ｒ２）／（Ｒ１−Ｒ２）＜８．０  …  （７−３）
２．０＜（Ｒ１＋Ｒ２）／（Ｒ１−Ｒ２）＜６．０  …  （７−４）
２．３＜（Ｒ１＋Ｒ２）／（Ｒ１−Ｒ２）＜５．０  …  （７−５）
条件式（８）の上限は−０．５とすることが好ましく、これにより、球面収差および像面湾曲の補正がより容易となる。条件式（８）の上限は−１．０とすることがより好ましく、−１．５とすることがさらに好ましく、−１．８とすることがさらにより好ましい。条件式（８）に下限を設けることが好ましく、下限は−１０．０とすることが好ましく、これにより、第３レンズＬ３のパワーを強くすることが容易となり、コマ収差および像面湾曲の補正が容易となる。条件式（８）の下限は−８．０とすることがより好ましく、−６．０とすることがさらに好ましく、−５．０とすることがさらにより好ましい。上記より、例えば下記条件式（８−１）〜（８−６）を満足することがより好ましい。
【００６７】
−１０．０＜（Ｒ５＋Ｒ６）／（Ｒ５−Ｒ６）＜０．０  …  （８−１）
−８．０＜（Ｒ５＋Ｒ６）／（Ｒ５−Ｒ６）＜−０．５  …  （８−２）
−６．０＜（Ｒ５＋Ｒ６）／（Ｒ５−Ｒ６）＜−１．０  …  （８−３）
−５．０＜（Ｒ５＋Ｒ６）／（Ｒ５−Ｒ６）＜−１．５  …  （８−４）
−１０．０＜（Ｒ５＋Ｒ６）／（Ｒ５−Ｒ６）＜−１．０  …  （８−５）
−５．０＜（Ｒ５＋Ｒ６）／（Ｒ５−Ｒ６）＜−１．８  …  （８−６）
条件式（９）の上限は１０．０とすることが好ましく、これにより、第５レンズＬ５のパワーを強くすることがより容易となり、球面収差の補正がより容易となる。条件式（９）の上限は８．０とすることがより好ましく、６．０とすることがさらに好ましく、５．０とすることがさらにより好ましい。条件式（９）の下限は、３．１とすることが好ましく、これにより、球面収差および像面湾曲の補正がより容易となる。条件式（９）の下限は３．２とすることがより好ましい。上記より、例えば下記条件式（９−１）〜（９−５）を満足することがより好ましい。
【００６８】
３．１＜（Ｒ１０＋Ｒ１１）／（Ｒ１０−Ｒ１１）＜１３．５  …  （９−１）
３．０＜（Ｒ１０＋Ｒ１１）／（Ｒ１０−Ｒ１１）＜１０．０  …  （９−２）
３．０＜（Ｒ１０＋Ｒ１１）／（Ｒ１０−Ｒ１１）＜８．０  …  （９−３）
３．１＜（Ｒ１０＋Ｒ１１）／（Ｒ１０−Ｒ１１）＜６．０  …  （９−４）
３．１＜（Ｒ１０＋Ｒ１１）／（Ｒ１０−Ｒ１１）＜５．０  …  （９−５）
条件式（１０）の上限は２２．０とすることが好ましい。これにより、第１レンズＬ１のパワーを抑えることがより容易となり、ディストーションの補正がより容易となる。条件式（１０）の上限は２０．０とすることがより好ましく、１５．０とすることがさらに好ましく、１３．０とすることがさらにより好ましい。条件式（１０）の下限は１．２とすることが好ましく、これにより、第１レンズＬ１のパワーを強くすることがより容易となり、画角を広くするのがより容易となるか、第２レンズＬ２のパワーを抑えることがより容易となり、球面収差および像面湾曲の補正がより容易となる。条件式（１０）の下限は２．０とすることがより好ましく、２．５とすることがさらに好ましく、３．０とすることがさらにより好ましい。上記より、例えば下記条件式（１０−１）〜（１０−５）を満足することがより好ましい。
【００６９】
１．２＜ｆ１２／ｆ＜２２．０  …  （１０−１）
２．０＜ｆ１２／ｆ＜２０．０  …  （１０−２）
２．５＜ｆ１２／ｆ＜２０．０  …  （１０−３）
３．０＜ｆ１２／ｆ＜１５．０  …  （１０−４）
２．０＜ｆ１２／ｆ＜１３．０  …  （１０−５）
条件式（１１）の上限は２．５とすることが好ましく、これにより、第２レンズＬ２のパワーを強くすることよりが容易となり、球面収差および像面湾曲の補正がより容易となる。条件式（１１）の上限は２．２とすることがより好ましく、１．９とすることがさらに好ましい。条件式（１１）の下限は−０．７とすることが好ましく、これにより、第２レンズＬ２の物体側の面が物体側に凸面で、曲率半径の絶対値が小さくなるのを抑えることがより容易となり、ディストーションの補正がより容易となる。条件式（１１）の下限は−０．６とすることがより好ましく、−０．５とすることがさらに好ましく、−０．４とすることがさらにより好ましい。上記より、例えば下記条件式（１１−１）〜（１１−４）を満足することがより好ましい。
【００７０】
−０．７＜（Ｒ３＋Ｒ４）／（Ｒ３−Ｒ４）＜２．５  …  （１１−１）
−０．６＜（Ｒ３＋Ｒ４）／（Ｒ３−Ｒ４）＜２．２  …  （１１−２）
−０．６＜（Ｒ３＋Ｒ４）／（Ｒ３−Ｒ４）＜１．９  …  （１１−３）
−０．５＜（Ｒ３＋Ｒ４）／（Ｒ３−Ｒ４）＜２．２  …  （１１−４）
条件式（１２）の上限は３．３とすることが好ましく、これにより、正のパワーを第２レンズＬ２および第３レンズＬ３に分散し、パワーのバランスをとることがより容易となり、球面収差の補正がより容易となる。条件式（１２）の上限は２．７とすることがより好ましく、２．４とすることがさらに好ましい。条件式（１２）の下限は０．７とすることが好ましく、これにより、正のパワーを第２レンズＬ２および第３レンズＬ３に分散し、パワーのバランスをとることがより容易となり、球面収差の補正がより容易となる。条件式（１２）の下限は０．９とすることがより好ましく、１．０とすることがさらに好ましい。上記より、例えば下記条件式（１２−１）〜（１２−５）を満足することがより好ましい。
【００７１】
０．５＜ｆ２／ｆ３＜３．３  …  （１２−１）
０．７＜ｆ２／ｆ３＜２．７  …  （１２−２）
０．９＜ｆ２／ｆ３＜２．７  …  （１２−３）
０．７＜ｆ２／ｆ３＜２．４  …  （１２−４）
１．０＜ｆ２／ｆ３＜２．４  …  （１２−５）
条件式（１３）の上限は３．５とすることが好ましく、これにより、正のパワーを第５レンズＬ５および第６レンズＬ６に分散し、パワーのバランスをとることがより容易となり、球面収差の補正がより容易となる。条件式（１３）の上限は２．８とすることがより好ましく、２．３とすることがさらに好ましく、１．７とすることがさらにより好ましい。条件式（１３）の下限は０．３とすることが好ましく、これにより、正のパワーを第５レンズＬ５および第６レンズＬ６に分散し、パワーのバランスをとることがより容易となり、球面収差の補正がより容易となる。条件式（１３）の下限は０．４とすることがより好ましく、０．７とすることがさらに好ましい。上記より、例えば下記条件式（１３−１）〜（１３−４）を満足することがより好ましい。
【００７２】
０．３＜ｆ５／ｆ６＜３．５  …  （１３−１）
０．３＜ｆ５／ｆ６＜２．８  …  （１３−２）
０．４＜ｆ５／ｆ６＜２．３  …  （１３−３）
０．４＜ｆ５／ｆ６＜１．７  …  （１３−４）
条件式（１４）の上限は３．５とすることが好ましく、これにより、第６レンズＬ６のパワーを強くすることがより容易となり、第５レンズＬ５との間でパワーのバランスをとりながら、球面収差の補正がより容易となる。もしくは、光線が撮像素子に入射する角度を抑えることが容易となり、シェーディングを抑えることが容易となる。条件式（１４）の上限は２．７とすることがより好ましく、２．２とすることがさらに好ましく、１．６とすることがさらにより好ましい。条件式（１４）の下限は０．６とすることが好ましく、これにより、第６レンズＬ６のパワーを抑えることがより容易となり、バックフォーカスの確保がより容易となる。条件式（１４）の下限は０．８とすることがより好ましく、０．９とすることがさらに好ましい。上記より、例えば下記条件式（１４−１）〜（１４−４）を満足することがより好ましい。
【００７３】
０．６＜ｆ６／ｆ＜３．５  …  （１４−１）
０．８＜ｆ６／ｆ＜２．７  …  （１４−２）
０．９＜ｆ６／ｆ＜２．２  …  （１４−３）
０．８＜ｆ６／ｆ＜１．６  …  （１４−４）
条件式（１５）の上限は２．５とすることが好ましく、これにより、レンズ群における正のパワーのバランスをとることがより容易となり、球面収差および像面湾曲の補正がより容易となる。条件式（１５）の上限は２．２とすることがより好ましく、１．８とすることがさらに好ましく、１．４とすることがさらにより好ましい。条件式（１５）の下限は０．４とすることが好ましく、これにより、レンズ群における正のパワーのバランスをとることがより容易となり、球面収差および像面湾曲の補正がより容易となる。条件式（１５）の下限は０．６とすることがより好ましく、０．７とすることがさらに好ましい。上記より、例えば下記条件式（１５−１）〜（１５−４）を満足することがより好ましい。
【００７４】
０．４＜ｆ２３／ｆ５６＜２．５  …  （１５−１）
０．６＜ｆ２３／ｆ５６＜２．２  …  （１５−２）
０．６＜ｆ２３／ｆ５６＜１．４  …  （１５−３）
０．７＜ｆ２３／ｆ５６＜１．８  …  （１５−４）
条件式（１６）の上限は４．０とすることが好ましく、これにより、レンズ全長を短くすることがより容易となり、レンズ系の小型化がより容易となる。条件式（１６）の上限は３．５とすることがより好ましく、３．０とすることがさらに好ましい。条件式（１６）の下限は１．５とすることが好ましく、これにより、広角化がより容易となるか、レンズの製造コストを低下させることがより容易となる。条件式（１６）の下限は１．７とすることがより好ましく、１．８とすることがさらに好ましい。上記より、例えば下記条件式（１６−１）〜（１６−３）を満足することがより好ましい。
【００７５】
１．５＜Ｌ／ｆ＜４．０  …  （１６−１）
１．７＜Ｌ／ｆ＜３．５  …  （１６−２）
１．８＜Ｌ／ｆ＜３．０  …  （１６−３）
第１レンズＬ１の材質のｄ線に対するアッベ数νｄ１は４０以上とすることが好ましく、これにより、軸上の色収差および倍率の色収差を良好に補正することが容易となる。また、５０以上とすることがより好ましく、５５以上とすることがさらに好ましい。
【００７６】
第２レンズＬ２の材質のｄ線に対するアッベ数νｄ２は５５以上とすることが好ましく、これにより、軸上の色収差を良好に補正することが容易となる。また、５８以上とすることがより好ましい。
【００７７】
第２レンズＬ２の材質のｄ線に対するアッベ数νｄ２は７５以下とすることが好ましく、これにより、第２レンズＬ２の材質のコストを下げることが容易となる。また、７０以下とすることがより好ましく、６８以下とすることがさらに好ましい。
【００７８】
第３レンズＬ３の材質のｄ線に対するアッベ数νｄ３は３０以上とすることが好ましく、これにより、軸上の色収差を良好に補正することが容易となる。また、３５以上とすることがより好ましく、３８以上とすることがさらに好ましい。
【００７９】
第３レンズＬ３の材質のｄ線に対するアッベ数νｄ３は５０以下とすることが好ましく、これにより、倍率の色収差の補正が容易となる。
【００８０】
第４レンズＬ４の材質のｄ線に対するアッベ数νｄ４は２５以下とすることが好ましく、これにより、軸上の色収差の補正が容易となる。また、２０以下とすることがより好ましく、１９以下とすることがさらに好ましい。
【００８１】
第５レンズＬ５の材質のｄ線に対するアッベ数νｄ５は３０以上とすることが好ましく、これにより、軸上の色収差および倍率の色収差の補正が容易となる。また、３５以上とすることがより好ましく、３８以上とすることがさらに好ましい。
【００８２】
第６レンズＬ６の材質のｄ線に対するアッベ数νｄ６は３０以上とすることが好ましく、これにより、軸上の色収差および倍率の色収差の補正が容易となる。また、４０以上とすることがより好ましく、５０以上とすることがさらに好ましい。
【００８３】
第１レンズＬ１の材質のｄ線に対するアッベ数νｄ１が４０以上であり、第２レンズＬ２の材質のｄ線に対するアッベ数νｄ２が５５以上７０以下であり、第３レンズＬ３の材質のｄ線に対するアッベ数νｄ３が３０以上であり、第４レンズＬ４の材質のｄ線に対するアッベ数νｄ４が２５以下であり、第５レンズＬ５の材質のｄ線に対するアッベ数νｄ５が３０以上であり、第６レンズＬ６の材質のｄ線に対するアッベ数νｄ６が３０以上であることが好ましい。これらのアッベ数νｄ１〜νｄ６の条件を同時に満足することで、各レンズのアッベ数を的確に選択することができ、軸上の色収差および倍率の色収差の補正が容易となる。
【００８４】
開口絞りとは、レンズ系のＦ値（Ｆｎｏ）を決める絞りのことであり、開口絞りは第５レンズＬ５より物体側に配置されていることが好ましい。ここで、開口絞りが第５レンズＬ５より物体側に配置されているとは、開口絞りの中心（光軸上の位置）が第５レンズＬ５像側の面より物体側にあることを意味する。開口絞りを第５レンズＬ５より物体側に配置することで、第１レンズＬ１の開口径を小さくすることが容易となり、レンズ径の小型化が容易となる。例えば本実施形態の撮像レンズを車載カメラに使用する場合、車の外観を損なわないため、レンズのうち外部に露出する部分は小さくすることが求められる。開口絞りを第５レンズＬ５より物体側に配置することで、第１レンズＬ１の開口径を小さくすることが容易となり、レンズのうち外部に露出する部分を小さくすることが容易となる。さらに、光線が撮像素子に入射する角度を抑えることが容易となり、シェーディングを抑えることが容易となる。
【００８５】
開口絞りは第４レンズＬ４の像側の面より物体側に配置されていることが好ましい。これにより、レンズのうち外部に露出する部分を小さくすることがより容易となり、かつシェーディングを抑えることがより容易となる。
【００８６】
開口絞りが第２レンズＬ２の物体側の面より像側に配置されていることが好ましい。これにより、開口絞りより像側に配置されたレンズのレンズ径を抑えることが容易となり、開口絞りの前後のレンズ径のバランスをとることで、レンズ全体の径を抑えることが容易となる。
【００８７】
以上より、開口絞りは第４レンズＬ４の像側の面と第２レンズＬ２の物体側の面との間に配置されていることが好ましく、第３レンズＬ３の像側の面と第４レンズＬ４の物体側の面との間に配置されていることがより好ましい。
【００８８】
第１レンズＬ１〜第６レンズＬ６の各レンズのいずれかの面を非球面とすることが好ましい。これにより、諸収差を良好に補正することができる。
【００８９】
第２レンズＬ２の少なくとも片側の面を非球面とすることが好ましい。第２レンズＬ２の少なくとも片側の面を非球面とすることで、像面湾曲および球面収差を補正することが容易となり、良好な解像性能を得ることが可能となる。第２レンズＬ２は両面を非球面とすることがより好ましい。
【００９０】
第２レンズＬ２の物体側の面は非球面とすることが好ましい。第２レンズＬ２の物体側の面は中心と有効径端とがともに正のパワーを持ち、有効径端では中心と比較して正のパワーが弱い形状、もしくは中心が正のパワーを持ち、有効径端では負のパワーを持つ形状とすることが好ましい。第２レンズＬ２の物体側の面をこのような形状とすることで、球面収差および像面湾曲を良好に補正することが容易となる。
【００９１】
なお、「面の有効径」とは、結像に寄与する全光線とレンズ面との交わる点を考えたとき、径方向における最も外側の点（最も光軸から離れた点）からなる円の直径を意味し、「有効径端」とは、この最も外側の点を意味するものとする。なお、光軸に対して回転対称の系においては、上記の最も外側の点からなる図形は円となるが、回転対称ではない系においては円とならない場合があり、そのような場合は、等価の円形を考えてその円の直径を有効径としてもよい。
【００９２】
また、非球面の形状に関して、各レンズのレンズ面ｉ（ｉは該当するレンズ面を表す記号である。例えば、第２レンズＬ２の物体側の面が３で表されるとき、第２レンズＬ２の物体側の面に関する以下の説明はｉ＝３として考えることができる）上のある点をＸｉとして、その点での法線と光軸との交点をＰｉとするとき、Ｘｉ−Ｐｉの長さ（｜Ｘi−Ｐi｜）をＸｉ点での曲率半径の絶対値｜ＲＸｉ｜とし、Ｐｉをその点Ｘｉでの曲率中心と定義する。また、第ｉレンズ面と光軸の交点をＱｉとする。このとき点Ｘｉでのパワーは点Ｐｉが点Ｑｉを基準として物体側、像側のいずれの側にあるかで定義する。物体側の面においては点Ｐｉが点Ｑｉより像側にある場合を正のパワー、点Ｐｉが点Ｑｉより物体側にある場合を負のパワーと定義し、像側の面においては点Ｐｉが点Ｑｉより物体側にある場合を正のパワー、点Ｐｉが点Ｑｉより像側にある場合を負のパワーと定義する。
【００９３】
中心と点Ｘｉとのパワーを比較する場合、中心の曲率半径（近軸の曲率半径）の絶対値と、点Ｘｉでの曲率半径の絶対値｜ＲＸｉ｜とを比較し、近軸の曲率半径絶対値より｜ＲＸｉ｜が小さくなっている場合、中心と比較して点Ｘｉのパワーは強くなっているものとする。逆に近軸の曲率半径絶対値より｜ＲＸｉ｜が大きくなっている場合、中心と比較して点Ｘｉのパワーは弱くなっているものとする。これは面が正のパワーである場合も負のパワーである場合も同様である。
【００９４】
第２レンズＬ２の物体側の面の「中心と有効径端とがともに正のパワーを持ち、有効径端では中心と比較して正のパワーが弱い形状」とは、点Ｘ３を有効径端とした場合に、点Ｑ３を含む近軸領域で凸形状であり、点Ｐ３が点Ｑ３より像側にあり、かつ、点Ｘ３での曲率半径の絶対値｜ＲＸ３｜が点Ｑ３での曲率半径の絶対値｜Ｒ３｜よりも大きい形状を意味する。
【００９５】
第２レンズＬ２の物体側の面の「中心が正のパワーを持ち、有効径端では負のパワーを持つ形状」とは、点Ｘ３を有効径端とした場合に、点Ｑ３を含む近軸領域で凸形状であり、点Ｐ３が点Ｑ３より物体側にある形状を意味する。
【００９６】
第２レンズＬ２の像側の面は非球面とすることが好ましい。第２レンズＬ２の像側の面は中心と有効径端とがともに正のパワーを持ち、有効径端では中心と比較して正のパワーが強い形状であることが好ましい。第２レンズＬ２の像側の面をこのような形状とすることで、像面湾曲を良好に補正することが容易となる。
【００９７】
第２レンズＬ２の像側の面の「中心と有効径端とがともに正のパワーを持ち、有効径端では中心と比較して正のパワーが強い形状」とは、第２レンズＬ２の像側の面においてはｉ＝４とすると、点Ｘ４を有効径端とした場合に、点Ｑ４を含む近軸領域で凸形状であり、点Ｐ４が点Ｑ４より物体側にあり、かつ、点Ｘ４での曲率半径の絶対値｜ＲＸ４｜が点Ｑ４での曲率半径の絶対値｜Ｒ４｜よりも小さい形状を意味する。
【００９８】
第３レンズＬ３の物体側の面は非球面とすることが好ましい。第３レンズＬ３の物体側の面は、中心と有効径端とがともに正のパワーを持ち、有効径端では中心と比較して正のパワーが強い形状であることが好ましい。第３レンズＬ３の物体側の面をこのような形状とすることで、像面湾曲を良好に補正することが容易となる。
【００９９】
第３レンズＬ３の物体側の面の「中心と有効径端とがともに正のパワーを持ち、有効径端では中心と比較して正のパワーが強い形状」とは、第３レンズＬ３の物体側の面においてはｉ＝５とすると、点Ｘ５を有効径端とした場合に、点Ｑ５を含む近軸領域で凸形状であり、点Ｐ５が点Ｑ５より像側にあり、かつ、点Ｘ５での曲率半径の絶対値｜ＲＸ５｜が点Ｑ５での曲率半径の絶対値｜Ｒ５｜よりも小さい形状を意味する。
【０１００】
第３レンズＬ３の像側の面は非球面とすることが好ましい。第３レンズＬ３の像側の面は中心と有効径端とがともに負のパワーを持ち、有効径端では中心と比較して負のパワーが強い形状であることが好ましい。第３レンズＬ３の像側の面をこのような形状とすることで、球面収差および像面湾曲を良好に補正することが容易となる。
【０１０１】
第３レンズＬ３の像側の面の「中心と有効径端とがともに負のパワーを持ち、有効径端では中心と比較して負のパワーが強い形状」とは、第３レンズＬ３の像側の面においてはｉ＝６とすると、点Ｘ６を有効径端とした場合に、点Ｑ６を含む近軸領域で凹形状であり、点Ｐ６が点Ｑ６より像側にあり、かつ、点Ｘ６での曲率半径の絶対値｜ＲＸ６｜が点Ｑ６での曲率半径の絶対値｜Ｒ６｜よりも小さい形状を意味する。
【０１０２】
第２レンズＬ２は、物体側の面の曲率半径の絶対値と比較して像側の面の曲率半径の絶対値が小さいことが好ましい。
【０１０３】
第３レンズＬ３は、物体側の面の曲率半径の絶対値と比較して像側の面の曲率半径の絶対値が大きいことが好ましい。
【０１０４】
第５レンズＬ５は、物体側の面の曲率半径の絶対値と比較して像側の面の曲率半径の絶対値が小さいことが好ましい。
【０１０５】
第６レンズＬ６は、物体側の面の曲率半径の絶対値と比較して像側の面の曲率半径の絶対値が大きいことが好ましい。
【０１０６】
第２レンズＬ２を物体側の面の曲率半径の絶対値と比較して像側の面の曲率半径の絶対値が小さいものとし、第３レンズＬ３を物体側の面の曲率半径の絶対値と比較して像側の面の曲率半径の絶対値が大きいものとすることで、球面収差、像面湾曲およびコマ収差を良好に補正することが可能となる。
【０１０７】
第５レンズＬ５を物体側の面の曲率半径の絶対値と比較して像側の面の曲率半径の絶対値が小さいものとし、第６レンズＬ６を物体側の面の曲率半径の絶対値と比較して像側の面の曲率半径の絶対値が大きいものとすることで、球面収差、像面湾曲およびコマ収差を良好に補正することが可能となる。
【０１０８】
第２レンズＬ２の像側の面、第３レンズＬ３の物体側の面、第５レンズＬ５の像側の面および第６レンズＬ６の物体側の面は凸面であることが好ましい。これにより、球面収差および像面湾曲を良好に補正することが可能となる。
【０１０９】
第１レンズＬ１は物体側に凸面を向けたメニスカス形状とすることが好ましい。これにより、ディストーションの補正が容易となる。
【０１１０】
第２レンズＬ２の像側の面は凸面であることが好ましい。これにより、球面収差および像面湾曲の補正が容易となる。
【０１１１】
第２レンズＬ２は像側に凸面を向けたメニスカス形状もしくは平凸形状とすることが好ましい。これにより、ディストーションの補正が容易となる。
【０１１２】
第２レンズＬ２は両凸形状としてもよい。これにより、球面収差および像面湾曲の補正が容易となる。
【０１１３】
第３レンズＬ３は物体側に凸面を向けたメニスカス形状もしくは平凸形状とすることが好ましい。これにより、球面収差および像面湾曲の補正が容易となる。
【０１１４】
第４レンズＬ４は両凹形状とすることが好ましい。これにより、第４レンズＬ４のパワーを強くすることが容易となり、軸上の色収差の補正が容易となる。
【０１１５】
第４レンズＬ４は物体側に凸面を向けたメニスカス形状もしくは物体側に平面を向けた平凸形状としてもよい。これにより、像面湾曲の補正が容易となる。
【０１１６】
第４レンズＬ４は、物体側の面の曲率半径の絶対値と比較して、像側の面の曲率半径の絶対値が小さいことが好ましい。第４レンズＬ４をこのような形状とすることで、球面収差および像面湾曲の補正が容易となる。
【０１１７】
第５レンズＬ５は像側に凸面を向けたメニスカス形状もしくは平凸形状とすることが好ましい。これにより、球面収差および像面湾曲の補正が容易となる。
【０１１８】
第６レンズＬ６は両凸形状もしくは物体側に凸面を向けた平凸形状とすることが好ましい。これにより、球面収差および像面湾曲の補正が容易となる。
【０１１９】
第２レンズＬ２および第３レンズＬ３をともに凸レンズとすることが好ましい。これにより、正のパワーを２枚のレンズに分散することで、球面収差を良好に補正することが可能となる。
【０１２０】
第５レンズＬ５および第６レンズＬ６をともに凸レンズとすることが好ましい。これにより、正のパワーを２枚のレンズに分散することで、球面収差を良好に補正することが可能となる。
【０１２１】
第１レンズＬ１の材質はガラスであることが好ましい。撮像レンズが例えば車載用カメラや監視カメラ用等の厳しい環境において使用される場合には、最も物体側に配置される第１レンズＬ１は、風雨による表面劣化、直射日光による温度変化に強く、さらには油脂・洗剤等の化学薬品に強い材質、すなわち耐水性、耐候性、耐酸性および耐薬品性等が高い材質を用いることが要望され、また、堅く、割れにくい材質を用いることが要望されることがある。材質をガラスとすることで、これらの要望を満たすことが可能となる。また、第１レンズＬ１の材質として、透明なセラミックスを用いてもよい。
【０１２２】
なお、第１レンズＬ１の物体側の面に、強度、耐傷性および耐薬品性を高めるための保護手段を施してもよく、その場合には、第１レンズＬ１の材質をプラスチックとしてもよい。このような保護手段は、ハードコートであってもよく、撥水コートであってもよい。
【０１２３】
例えば車載カメラ用レンズにおいてはレンズは各種衝撃に耐えることが求められる。このため第１レンズＬ１は厚いことが好ましく、第１レンズＬ１の中心厚が０．８ｍｍ以上であることが好ましい。
【０１２４】
耐環境性のよい光学系を作製するためには、すべてのレンズがガラスであることが好ましい。監視カメラ用レンズや車載カメラ用レンズとして用いられた場合、高温から低温までの広い温度範囲や高湿等の様々な条件で用いられる可能性がある。それらに強い光学系を作製するためには、すべてのレンズがガラスで作製されていることが好ましい。
【０１２５】
第１レンズＬ１から第６レンズＬ６のいずれか、あるいはこれらのうちの任意の複数の組み合わせておいて、その材質をプラスチックとすることが好ましい。材質をプラスチックとすることで、レンズ系を安価で軽量化することが容易となるとともに、非球面形状を安価かつ正確に作製することができるため、球面収差および像面湾曲を良好に補正することが可能となる。
【０１２６】
温度変化に強いレンズ系を作製するためには、正のパワーのプラスチックレンズと負のパワーのプラスチックレンズとを有することが好ましい。プラスチックレンズは一般的に温度変化による特性の変化が大きく、これによりフォーカスシフトが発生してしまうが、レンズ系に正のパワーのプラスチックレンズと負のパワーのプラスチックレンズとを含むことで、パワー変化を打ち消しあい、性能劣化を最小限にとどめることが可能となる。
【０１２７】
プラスチックの材質としては、例えば、アクリル、ポリオレフィン系の材質、ポリカーボネイト系の材質、エポキシ樹脂、ＰＥＴ（Ｐｏｌｙｅｔｈｙｌｅｎｅ  ｔｅｒｅｐｈｔｈａｌａｔｅ）、ＰＥＳ（Ｐｏｌｙ  Ｅｔｈｅｒ  Ｓｕｌｐｈｏｎｅ）等を用いることができる。
【０１２８】
なお、撮像レンズ１の用途に応じて、レンズ系と撮像素子５との間に紫外光から青色光をカットするようなフィルタ、または赤外光をカットするようなＩＲ（ＩｎｆｒａＲｅｄ）カットフィルタを挿入してもよい。上記フィルタと同様の特性を持つコートをレンズ面に施してもよい。またはいずれかのレンズの材質として紫外光や青色光、赤外光等を吸収する材質を用いてもよい。
【０１２９】
図１では、レンズ系と撮像素子５との間に各種フィルタ等を想定した光学部材ＰＰを配置した例を示しているが、この代わりに、各レンズの間にこれらの各種フィルタを配置してもよい。あるいは、撮像レンズが有するいずれかのレンズのレンズ面に、各種フィルタと同様の作用を有するコートを施してもよい。
【０１３０】
なお、各レンズ間の有効径外を通過する光束は、迷光となって像面に達し、ゴーストとなるおそれがあるため、必要に応じて、この迷光を遮光する遮光手段を設けることが好ましい。この遮光手段としては、例えばレンズの有効径外の部分に不透明な塗料を施したり、不透明な板材を設けたりしてもよい。または迷光となる光束の光路に不透明な板材を設けて遮光手段としてもよい。あるいは、最も物体側のレンズのさらに物体側に迷光を遮断するフードのようなものを配置してもよい。例えば、第４レンズＬ４と第５レンズＬ５との間に、有効径外を透過する光線をカットする遮光手段を設けることが好ましい。なお、遮光手段を設ける箇所はこれに限定されず、他のレンズや、レンズ間に配置してもよい。
【０１３１】
さらに、各レンズの間に周辺光量比が実用上問題のない範囲で周辺光線を遮断する絞り等の部材を配置してもよい。周辺光線とは、光軸Ｚ外の物点からの光線のうち、光学系の入射瞳の周辺部分を通る光線のことである。このように周辺光線を遮断する部材を配置することにより、結像領域周辺部の画質を向上させることができる。また、この部材でゴーストを発生させる光を遮断することにより、ゴーストを低減することが可能となる。
【０１３２】
また、レンズ系が、第１レンズＬ１、第２レンズＬ２、第３レンズＬ３、第４レンズＬ４、第５レンズＬ５および第６レンズＬ６の６枚のみからなるように構成することが好ましい。レンズ系を６枚のレンズのみで構成することで、レンズ系を安価にすることが可能となる。
【０１３３】
本実施形態に係る撮像装置は、本実施形態に係る撮像レンズを備えているため、小型で安価に構成でき、十分広い画角を有し、撮像素子を用いて解像度の高い良好な像を得ることができる。
【０１３４】
なお、第１から第４の実施形態に係る撮像レンズを備えた撮像装置で撮影した画像を携帯電話に表示するようにしてもよい。例えば本実施形態の撮像レンズを備えた撮影装置を車載カメラとして自動車に搭載し、自動車の背後や周辺を車載カメラにより撮影し、撮影により取得した画像を表示装置に表示する場合がある。このような場合、カーナビゲーションシステム（以下カーナビとする）が搭載されている自動車においては、撮影した画像はカーナビの表示装置に表示すればよいが、カーナビが搭載されていない場合、液晶ディスプレイ等の専用の表示装置を自動車に設置する必要がある。しかしながら、表示装置は高価である。一方、近年の携帯電話は、動画やＷｅｂの閲覧が可能になる等、高性能な表示装置が搭載されている。携帯電話を車載カメラ用の表示装置として用いることで、カーナビが搭載されていない自動車に関しても、専用の表示装置を搭載する必要が無くなり、その結果、安価に車載カメラを搭載することが可能となる。
【０１３５】
ここで、車載カメラが撮影した画像は、ケーブル等を用いて有線にて携帯電話に送信してもよく、赤外線通信等の無線により携帯電話に送信してもよい。また、携帯電話等と自動車の作動状態とを連動させ、自動車のギアがバックに入ったり、ウインカー等を出したりした際に、自動で携帯電話の表示装置に車載カメラの画像を表示するようにしてもよい。
【０１３６】
なお、車載カメラの画像を表示する表示装置としては、携帯電話のみならず、ＰＤＡ等の携帯情報端末でもよく、小型のパソコンでもよく、あるいは持ち歩き可能な小型のカーナビでもよい。
【０１３７】
また、本発明の撮像レンズを搭載した携帯電話を自動車に固定することで、車載カメラとして使用してもよい。近年のスマートホンはＰＣ並の処理能力を備えているため、例えば携帯電話を自動車のダッシュボード等に固定し、カメラを前方に向けることで、携帯電話のカメラを車載カメラと同様に用いることが可能となる。なお、スマートホンのアプリケーションとして、白線や道路標識を認識し、警告を行う機能を備えていてもよい。また、運転手にカメラを向け、居眠りや脇見の際に警告を行うシステムとしてもよい。また、自動車と連動し、ハンドルを操作するシステムの一部としてもよい。自動車は高温環境や低温環境に放置されるため、車載カメラは厳しい耐環境性が要求される。本発明の撮像レンズを携帯電話に搭載した場合、運転時以外は携帯電話は運転手とともに車外に出てしまうため、撮像レンズの耐環境性をゆるめることが可能となり、安価に車載システムを導入することが可能となる。
【０１３８】
〔撮像レンズの数値実施例〕
次に、本発明の撮像レンズの数値実施例について説明する。実施例１〜実施例１３の撮像レンズのレンズ断面図をそれぞれ図２〜図１４に示す。図２〜図１４において、図の左側が物体側、右側が像側であり、図１と同様、開口絞りＳｔ、光学部材ＰＰ、像面Ｓｉｍに配置された撮像素子５も併せて図示している。各図の開口絞りＳｔは形状や大きさを表すものではなく、光軸Ｚ上の位置を示すものである。各実施例において、レンズ断面図の符号Ｒｉ、Ｄｉ（ｉ＝１、２、３、…）は以下に説明するレンズデータのＲｉ、Ｄｉと対応している。
【０１３９】
表１〜表１３にそれぞれ実施例１〜実施例１３の撮像レンズのレンズデータを示す。各表の（Ａ）には基本レンズデータを、（Ｂ）には各種データを、非球面形状を含むものについては（Ｃ）に非球面データを示している。
【０１４０】
基本レンズデータにおいて、Ｓｉの欄は最も物体側の構成要素の物体側の面を１番目として像側に向かうに従い順次増加するｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示している。なお、曲率半径の符号は、面形状が物体側に凸の場合を正、像側に凸の場合を負としている。また、Ｎｄｊの欄は最も物体側のレンズを１番目として像側に向かうに従い順次増加するｊ番目（ｊ＝１、２、３、…）の光学要素のｄ線（波長５８７．６ｎｍ）に対する屈折率を示し、νｄｊの欄はｊ番目の光学要素のｄ線に対するアッベ数を示している。なお、基本レンズデータには、開口絞りＳｔおよび光学部材ＰＰも含めて示しており、開口絞りＳｔに相当する面の面番号の欄には、（Ｓｔ）という語句を併せて記載している。また、撮像面はＩＭＧと記載している。
【０１４１】
基本レンズデータでは、非球面の面番号に＊印を付しており、非球面の曲率半径として近軸曲率半径（中心の曲率半径）の数値を示している。非球面データには、非球面の面番号と、各非球面に関する非球面係数を示す。非球面データの数値の「Ｅ−ｎ」（ｎ：整数）は「×１０−ｎ」を意味し、「Ｅ＋ｎ」は「×１０ｎ」を意味する。なお、非球面係数は、以下の式で表される非球面式における各係数ＫＡ、ＲＢｍ（ｍ＝３、４、５、…２０）の値である。
【０１４２】
Ｚｄ＝Ｃ・ｈ２／｛１＋（１−ＫＡ・Ｃ２・ｈ２）１／２｝＋ΣＲＢｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からのレンズ面までの距離）
Ｃ：近軸曲率半径の逆数
ＫＡ、ＲＢｍ：非球面係数（ｍ＝３、４、５、…２０）
各種データにおいて、Ｌ（ｉｎ  Ａｉｒ）は第１レンズＬ１の物体側の面から像面Ｓｉｍまでの光軸Ｚ上の距離（バックフォーカス分は空気換算長）、Ｂｆ（ｉｎ  Ａｉｒ）は最も像側のレンズの像側の面から像面Ｓｉｍまでの光軸Ｚ上の距離（バックフォーカスに相当、空気換算長）、ｆは全系の焦点距離、ｆ１は第１レンズＬ１の焦点距離、ｆ２は第２レンズＬ２の焦点距離、ｆ３は第３レンズＬ３の焦点距離、ｆ４は第４レンズＬ４の焦点距離、ｆ５は第５レンズＬ５の焦点距離、ｆ６は第６レンズＬ６の焦点距離、ｆ１２は第１レンズＬ１と第２レンズＬ２との合成焦点距離、ｆ２３は第２レンズＬ２と第３レンズＬ３との合成焦点距離、ｆ５６は第５レンズＬ５と第６レンズＬ６との合成焦点距離である。
【０１４３】
また、表１４に各実施例の条件式（１）〜（１６）に対応する値を一括して示す。なお、条件式（１）はｆ１／ｆ、条件式（２）はｆ４／ｆ、条件式（３）はｆ１／ｆ４、条件式（４）はｆ３／ｆ、条件式（５）はνｄ２／νｄ４、条件式（６）はνｄ６／νｄ４、条件式（７）は（Ｒ１＋Ｒ２）／（Ｒ１−Ｒ２）、条件式（８）は（Ｒ５＋Ｒ６）／（Ｒ５−Ｒ６）、条件式（９）は（Ｒ１０＋Ｒ１１）／（Ｒ１０−Ｒ１１）、条件式（１０）はｆ１２／ｆ、条件式（１１）は（Ｒ３＋Ｒ４）／（Ｒ３−Ｒ４）、条件式（１２）はｆ２／ｆ３、条件式（１３）はｆ５／ｆ６、条件式（１４）はｆ６／ｆ、条件式（１５）はｆ２３／ｆ５６、条件式（１６）はＬ／ｆである。
【０１４４】
ただし、
Ｒ１：第１レンズＬ１の物体側の面の曲率半径
Ｒ２：第１レンズＬ１の像側の面の曲率半径
Ｒ３：第２レンズＬ２の物体側の面の曲率半径
Ｒ４：第２レンズＬ２の像側の面の曲率半径
Ｒ５：第３レンズＬ３の物体側の面の曲率半径
Ｒ６：第３レンズＬ３の像側の面の曲率半径
Ｒ１０：第５レンズＬ５の物体側の面の曲率半径
Ｒ１１：第５レンズＬ５の像側の面の曲率半径
ｆ：全系の焦点距離
ｆ１：第１レンズＬ１の焦点距離
ｆ２：第２レンズＬ２の焦点距離
ｆ３：第３レンズＬ３の焦点距離
ｆ５：第５レンズＬ５の焦点距離
ｆ６：第６レンズＬ６の焦点距離
ｆ１２：第１レンズＬ１および第２レンズＬ２の合成焦点距離
ｆ２３：第２レンズＬ２および第３レンズＬ３の合成焦点距離
ｆ５６：第５レンズＬ５および第６レンズＬ６の合成焦点距離
νｄ２：第２レンズＬ２の材質のｄ線に対するアッベ数
νｄ４：第４レンズＬ４の材質のｄ線に対するアッベ数
νｄ６：第６レンズＬ６の材質のｄ線に対するアッベ数
Ｌ：第１レンズＬ１の物体側の面から像面までの距離（バックフォーカス分は空気換算長）
各数値の単位として、長さについては「ｍｍ」を用いているが、これは一例であり、光学系は比例拡大または比例縮小しても使用可能なため、他の適当な単位を用いることもできる。
【表１】
0005852764.tif 000002
【表２】
0005852764.tif 000003
【表３】
0005852764.tif 000004
【表４】
0005852764.tif 000005
【表５】
0005852764.tif 000006
【表６】
0005852764.tif 000007
【表７】
0005852764.tif 000008
【表８】
0005852764.tif 000009
【表９】
0005852764.tif 000010
【表１０】
0005852764.tif 000011
【表１１】
0005852764.tif 000012
【表１２】
0005852764.tif 000013
【表１３】
0005852764.tif 000014
【表１４】
0005852764.tif 000015
【０１４５】
上記実施例７，１１では所定の面で光線をカットすることを想定した実施例となっている。実施例７では第２レンズＬ２の物体側の面φ８．０、実施例１１では第２レンズＬ２の物体側の面でφ７．０となっている。
【０１４６】
上記実施例１〜１３の撮像レンズにおいて、レンズの材質はガラスを想定したものとなっている。例えば、実施例１の第１レンズＬ１の材質（Ｎｄ＝１．５８９１、νｄ＝６１．１）はオハラ社Ｓ−ＢＡＬ３５であるが、同等の性質を持つ他社材質を用いてもよい。例えば、ＨＯＹＡ社ＢＡＣＤ５、住田社Ｋ−ＳＫ５、成都光明社Ｈ−ＺＫ３等を使用してもよい。
【０１４７】
また、実施例１の第２レンズＬ２の材質（Ｎｄ＝１．６１８００、νｄ＝６３．３）はオハラ社Ｓ−ＰＨＭ５２であるが、同等の性質を持つＨＯＹＡ社ＰＣＤ４、ＨＯＹＡ社Ｍ−ＰＣＤ４、住田社Ｋ−ＰＳＫＮ２、成都光明社Ｈ−ＺＰＫ１等を使用してもよい。
【０１４８】
また、実施例１の第３レンズＬ３の材質（Ｎｄ＝１．８８３００、νｄ＝４０．８）はオハラ社Ｓ−ＬＡＨ５８であるが、同等の性質を持つＨＯＹＡ社ＴＡＦＤ３０、住田社Ｋ−ＬＡＳＦＮ１７、成都光明社Ｈ−ＺＬＡＦ６８等を使用してもよい。
【０１４９】
また、実施例１の第４レンズＬ４の材質（Ｎｄ＝１．９２２８６、νｄ＝１８．９）はオハラ社Ｓ−ＮＰＨ２であるが、同等の性質を持つ成都光明社Ｈ−ＺＦ７２Ａ等を使用してもよい。
【０１５０】
また、実施例５の第２レンズＬ２の材質（Ｎｄ＝１．５８９１、νｄ＝６１．１）は住田社Ｋ−ＰＢＫ４０であるが、同等の性質を持つＨＯＹＡ社Ｊ−ＢＫ７、成都光明社Ｄ−Ｋ５９等を使用してもよい。
【０１５１】
また、実施例９の第５レンズＬ５の材質（Ｎｄ＝１．８３４８、νｄ＝４２．７）はオハラ社Ｓ−ＬＡＨ５５Ｖであるが、同等の性質を持つＨＯＹＡ社ＴＡＦＤ５Ｆ、住田社Ｋ−ＬＡＳＦＮ８、成都光明社Ｈ−ＺＬＡＦ５５Ａ等を使用してもよい。
【０１５２】
また、実施例１１の第３レンズＬ３の材質（Ｎｄ＝１．８０６１、νｄ＝４０．９）はオハラ社Ｌ−ＬＡＨ５３であるが、同等の性質を持つオハラ社Ｓ−ＬＡＨ５３、ＨＯＹＡ社Ｍ−ＮＢＦＤ１３０、ＨＯＹＡ社ＮＢＦＤ１３、住田社Ｋ−ＬＡＳＦＮ１、成都光明社Ｈ−ＺＬＡＦ５２等を使用してもよい。
【０１５３】
また、実施例１の光学部材ＰＰの材質（Ｎｄ＝１．５１６８、νｄ＝６４．２）はＨＯＹＡ社ＢＳＣ７であるが、同等の性質を持つオハラ社Ｓ−ＢＳＬ７、住田社Ｋ−ＢＫ７、成都光明社Ｈ−Ｋ９Ｌ、ショット社Ｎ−ＢＫ７等を使用してもよい。
【０１５４】
また、実施例１０の第４レンズＬ４の材質（Ｎｄ＝１．８１６０、νｄ＝４６．６）はオハラ社Ｓ−ＬＡＨ５９であるが、同等の性質を持つＨＯＹＡ社ＴＡＦ５、住田社Ｋ−ＬＡＳＦＮ９等を使用してもよい。
【０１５５】
上記以外のガラスに関しても、Ｎｄ，νｄが同じ材質に関しては同じガラスを想定したものであり、同様の特性を持つ材質を使用してもよい。
【０１５６】
［収差性能］
上記実施例１〜１３に係る撮像レンズの各収差図をそれぞれ、図１５〜図２７の（Ａ）〜（Ｄ）に示す。
【０１５７】
ここでは、実施例１の収差図を例にとり説明するが、他の実施例の収差図についても同様である。図１５（Ａ）、図１５（Ｂ）、図１５（Ｃ）および図１５（Ｄ）はそれぞれ、実施例１に係る撮像レンズの球面収差、非点収差、ディストーション（歪曲収差）および倍率色収差（倍率の色収差）の収差図を示す。球面収差図のＦはＦ値を意味し、その他の収差図のωは半画角を意味する。ディストーションの図は、全系の焦点距離ｆ、画角φ（変数扱い、０≦φ≦ω）を用いて、理想像高をｆ×ｔａｎ（φ）とし、それからのズレ量を示す。各収差図には、ｄ線（波長５８７．５６ｎｍ）を基準波長とした収差を示すが、球面収差図には、Ｆ線（波長４８６．１３ｎｍ）、Ｃ線（波長６５６．２７ｎｍ）、ｓ線（波長８５２．１１ｎｍ）および正弦条件違反量（ＳＮＣと表記）についての収差も示し、倍率色収差図にはＦ線、Ｃ線およびｓ線についての収差を示す。倍率色収差図の線種は球面収差図のものと同じであるため、その表記を省略している。
【０１５８】
以上のデータから分かるように、実施例１〜１３の撮像レンズは、６枚という少ないレンズ枚数で構成され、小型で安価に作製可能である上、Ｆ値が１．６〜２．０と小さく、各収差が良好に補正されて良好な光学性能を有する。これらの撮像レンズは、監視カメラや、自動車の前方、側方、後方等の映像を撮影するための車載用カメラ等に好適に使用可能である。
【０１５９】
〔撮像装置の実施形態〕
図２８に使用例として、自動車１００に本実施形態の撮像レンズを備えた撮像装置を搭載した様子を示す。図２８において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、本発明の実施形態に係る撮像装置であり、本発明の実施例の撮像レンズと、この撮像レンズにより形成される光学像を電気信号に変換する撮像素子とを備えている。
【０１６０】
本発明の実施例に係る撮像レンズは、上述した長所を有するものであるから、車外カメラ１０１、１０２および車内カメラ１０３も小型で安価に構成でき、広い画角を有し、結像領域周辺部まで良好な映像を得ることができる。
【０１６１】
以上、実施形態および実施例を挙げて本発明を説明したが、本発明は上記実施形態および実施例に限定されず、種々の変形が可能である。例えば、各レンズ成分の曲率半径、面間隔、屈折率およびアッベ数の値は、上記各数値実施例で示した値に限定されず、他の値をとり得るものである。
【０１６２】
なお、上記した実施例ではすべてのレンズを均質な材料により構成しているが、屈折率分布型のレンズを用いてもよい。また、上記した実施例では第２レンズＬ２および第３レンズＬ３を非球面が施された屈折型レンズにより構成しているものがあるが、１つの面もしくは複数の面に回折光学素子を形成してもよい。
【０１６３】
また、撮像装置の実施形態では、本発明を車載用カメラに適用した例について図を示して説明したが、本発明はこの用途に限定されるものではなく、例えば、携帯端末用カメラや監視カメラ等にも適用可能である。
【図１】
0005852764.tif 000016
【図２】
0005852764.tif 000017
【図３】
0005852764.tif 000018
【図４】
0005852764.tif 000019
【図５】
0005852764.tif 000020
【図６】
0005852764.tif 000021
【図７】
0005852764.tif 000022
【図８】
0005852764.tif 000023
【図９】
0005852764.tif 000024
【図１０】
0005852764.tif 000025
【図１１】
0005852764.tif 000026
【図１２】
0005852764.tif 000027
【図１３】
0005852764.tif 000028
【図１４】
0005852764.tif 000029
【図２８】
0005852764.tif 000030
【図１５】
0005852764.tif 000031
【図１６】
0005852764.tif 000032
【図１７】
0005852764.tif 000033
【図１８】
0005852764.tif 000034
【図１９】
0005852764.tif 000035
【図２０】
0005852764.tif 000036
【図２１】
0005852764.tif 000037
【図２２】
0005852764.tif 000038
【図２３】
0005852764.tif 000039
【図２４】
0005852764.tif 000040
【図２５】
0005852764.tif 000041
【図２６】
0005852764.tif 000042
【図２７】
0005852764.tif 000043